(57)【要約】【課題】押印の際に位置決めの補助が出来、印鑑類、印肉の整理が出来る、押印ガイドに関する。【解決手段】  四枚の長方形のスティック体のそれぞれの長辺側を外側にして枠状に組む、或いは長方形を用意しこの長方形の外枠の四辺のラインに平行な四直線の内枠ラインはそれぞれ直角を囲む直角ラインとなり前記直角ラインの一部に円弧のラインを加えて、四直線と曲線の混在したラインで成る空間を内側に設けた上面部と、任意の厚みの側面部と下面部とで成る概略枠体を有することを特徴とする。【選択図】図１
2019142229.tif 000002
【特許請求の範囲】
【請求項１】
四枚の長方形のスティック体のそれぞれの長辺側を外側にして枠状に組む、或いは長方形を用意しこの長方形の外枠の四辺のラインに平行な四直線の内枠ラインはそれぞれ直角を囲む直角ラインとなり前記直角ラインの一部に円弧のラインを加えて、四直線と曲線の混在したラインで成る空間を内側に設けた上面部と、任意の厚みの側面部と下面部とで成る概略枠体を有することを特徴とする、押印ガイド。
【請求項２】
内側の空間を形成する角部のうち少なくとも一箇所を直角としこの直角を挟む直角ラインに続いて、残りの角部の一か所以上は直角の二等分線上に中心点を有する任意の円の円周ラインまで内枠箇所を延長し空間を減らし、かつ直線上に円弧の凹みラインを設けこの凹みラインまで空間を増やし、直角ラインと円弧の凹みラインを繋いで一周し内枠ラインとしたことを特徴とする、請求項１記載の押印ガイド。
【請求項３】
概略枠体の内側の直角点位置や直角点位置が予想出来る位置から、内側に向けた二等分線を上面部上に表示すると共に、前記概略枠体に必要に応じて長さの目盛りや文字を表示したことを特徴とする、請求項１、２記載の押印ガイド。
【請求項４】
概略枠体が、底面部と四側面部との五面部から成る箱体の上端位置に設置できることが可能な、前記箱体の一部の六面部目になることを特徴とする、請求項１、２、３記載の押印ガイド。
【発明の詳細な説明】
【技術分野】
【０００１】  押印の際に位置決めの補助が出来、印鑑類、印肉の整理が出来る、押印ガイドに関する。
【背景技術】
【０００２】
【先行技術文献】
【特許文献１】特開２０００−２８９３１６
【特許文献２】実開平５−３９９７０
【特許文献３】実開平５−５８３３０
【特許文献４】特開２００４−３３０４９３
【０００３】
【発明の概要】
【発明が解決しようとする課題】
【０００４】  そのために次のような問題点があった。
・正確な向きで押印したいが、見定めても、紙面に着いた時にずれたりした。
・紙面上に向かって、紙面端部や文字の方向を見定めつつ印鑑を押し付ける時、より正確に押印するために、直線ラインの縁を有する厚みのある物を探して、それを他の手で押さえて押印するしかなかった。
・押印の際に必要な小物の全ての整理が出来なかった。
・特開２０００−２８９３１６は、印鑑捺印システムで、ガイドとしては不向きだった。
・実開平５−３９９７０は、ガイド枠の四つ角が直角のみであった。
・実開平５−５８３３０は、ラインがは繋がらず、蓋にはならなかった。
・特開２００４−３３０４９３は、器具の方を動かして印鑑に合わせるため、その時印鑑を何かで留め置かなければならなかった。
【発明を解決するための手段】
【０００５】  四枚の長方形のスティック体のそれぞれの長辺側を外側にして枠状に組む、或いは長方形を用意しこの長方形の外枠の四辺のラインに平行な四直線の内枠ラインはそれぞれ直角を囲む直角ラインとなり前記直角ラインの一部に円弧のラインを加えて、四直線と曲線の混在したラインで成る空間を内側に設けた上面部と、任意の厚みの側面部と下面部とで成る概略枠体を有することを特徴とする。
【発明の効果】
【０００６】  イ）見定めて紙面に着いた時、ずれなくなった。
ロ）厚みを十分にとれるため、印鑑の固定が安定するようになつた。
ハ）その都度探さなくても、方向を支持できる箇所があって、全体を手で抑えながら、      本願は動くことなく、押印が正しく出来るようになった。
ニ）直線ライン箇所があり、書類の縦、横の向きに印鑑方向を合わせられるようになっ      た。
ホ）曲線ライン箇所があり、そこに添わせられ固定し易くなった。
ヘ）目盛りがあり、印鑑の大きさと合わせ易くなった。
ト）印鑑類、印肉の整理が簡単に出来るようになった。
【図面の簡単な説明】
【０００７】
【図１】  第一形態の、平面図である。
【図２】  第一形態の、平面図である。
【図３】  第一形態の、使用図である。
【図４】  第二形態の、斜視図である。
【発明を実施するための形態】
【実施例１】
【０００８】  以下、本発明の実施の形態を説明する。
概略枠体（１）とは、枠体の内枠形状に凹凸やカーブ等を施す場合を含む意味である。外枠ライン（２）は全て直線である。内枠ライン（３）は一本ラインで成る。任意の広さの上面部（４）と任意の厚みの側面部と下面部とを有するが、上面部のみの作図で説明を進める。側面部の厚みは材質にもよるが５ｍｍ以上が印鑑を固定し易い。下面部を裏返して上面部同様に使用する場合は、上面部と同じ条件での仕様とし、内枠ラインの切り口は上下の面部に対し垂直の方向を示す。
円弧の凹み（９）には、直角点を埋めて成るものと、直線を削って成るものがある。【０００９】  図１、図２の平面図は、概略枠体（１）を、長方形をくり抜くか四本の長方形のスティック体を枠状に組んで成形した図とする。必ず内枠ラインの一箇所以上に直角を示す二方向の直線の交差点の直角点（５）を有する。
図１を用いて、角部の直角点位置の穴埋めによって、内枠を円弧状ラインとする場合を説明する。
直角点位置より出る二本の放射線を直角ライン（６）と称する。内枠の四箇所の角部について、一箇所が直角点を有し、残りの角部の一か所以上は、直角の二等分線（８）上に中心点を有する任意の円の円周による、元の長方形の空間（２２）の広さより空間を減らして生じた凹み（以降、これを円弧の凹みと称する）の円弧の凹み（９）のラインと直角ラインとを繋いで一周し内枠ライン（３）とする。直角点より内側まで上面部の内枠位置が延長する。
この図では右下の内枠箇所が直角箇所である。左下には円弧の凹みを設けることによって直角点予想箇所（７）が概略枠体内に生じている。【００１０】  図２は内枠ライン（３）に、直線を削って生じる凹み（以降、これを円弧の凹みと称する）の各種の半径の円弧の凹み（９）を大きさの順に並べて設け、内側に突き出し箇所（１０）を連続して設けた上面部（４）を表した平面図である。
ａは内枠ラインを、任意の半径の円弧の凹みのラインで、突き出し箇所の先端を結んだラインを元の直線箇所とすれば、元の長方形の空間の広さより空間を増やして設けたことになる。円弧の凹みの大きさは半径分の円弧が良い。
ｂは、突き出し箇所を緩やかにした上面部で、ここに直径か半径の数値（１１）や印を記した長さの目盛り（１２）があればより良い。概略枠体（１）の内側の直角位置や直角点から、内側に向けた二等分線（８）を表示する。その他、概略枠体に必要に応じて長さの目盛りや文字を表示する。【００１１】  図３で使い方を説明する。、
外枠ラインの直線と書面（１４）の直線方向を平行に合わせ、内枠ライン（３）での使用する直角か凹みの位置を書面の押印の的箇所と合わせ、使用する印鑑を角部か円弧の凹みにはめ込んで押印する。
円柱形の印鑑（１３）については、直径数値箇所と縦か横の直線箇所に印鑑の前後の直径分と平行にして押印する。楕円の印鑑の場合は長径側を主に合わせる。
直方体の印鑑（１５）については、直角箇所に角を後側と右横ライン、又は後側と左横ラインに当てる。
長さの目盛り（１２）があれば、印鑑の直径や縦横の長さの見当がつき易くなって、セットする位置を選択し易いメリットが生じる。【００１２】  図４を説明する。一部または全部を透明図とする。
概略枠体（１）を、箱体の一部となる六面部目として形成する。底面部（１６）と側面部（１７）の四か所から成る上面部（４）を箱体（１８）の上端位置に設置できることを条件とする。
ａは、概略枠体の外枠に近い大きさの空間（２２）を有する箱体を用意し、この四隅に概略枠体の厚み分下側までの高さの柱体（１９）を設けた場合の斜視図である。
ｂは挿入物を挿入し、ａに箱体の上側に概略枠体をはめ込んでいる斜視図である。
使い方は、中央の空間に指先を入れ概略枠体を取り出し、図３のように紙面上にセットする。箱体内に仕切り（２０）を設置すれば、印肉や実印、会社印、個人印、その他の小物が整理できる。
ここに挙げた箱体の形状は一例である。箱体作成の条件は、概略枠体が簡単に取り外せること、かつ概略枠体の下面形状は、書面上に載せた時、平面が保たれ、取り扱う印鑑類の長さより厚みが狭いこと、等の条件の元で作成する。【００１３】  ○内の表示数値は直近の円弧の半径を示し、二等分線は４５度の角度位置を示し、内枠ライン側の目盛りは長さを示す。
回転させたり、裏側の方が都合よければ裏返す等、使い方を選択する。
【符号の説明】
【００１４】  １    概略枠体              ２    外枠ライン        ３    内枠ライン
４    上面部                ５    直角点            ６    直角ライン
７    直角点予想箇所        ８    二等分線          ９    円弧の凹み
１０  突き出し箇所          １１  数値              １２  長さの目盛り
１３  円柱の印鑑            １４  書面              １５  直方体の印鑑
１６  底面部                １７  側面部            １８  箱体
１９  柱体                  ２０  仕切り            ２１  後面部
２２  空間
【図１】
2019142229.tif 000003
【図２】
2019142229.tif 000004
【図３】
2019142229.tif 000005
【図４】
2019142229.tif 000006